(57)【要約】【課題】  好奇心を与えやすく、それにより、印字された情報が読まれることなく捨てられてしまう可能性を低減する。【解決手段】  連接した２つの紙片１０，２０がミシン目３０を介して折り畳まれた場合に内側となる内面層１に、通知情報２１が印字された挿入部材２４を切り離し可能に区画形成するとともに、挿入部材２４が挿入されるための切り込み１２を形成し、また、切り込み１２を挿入口として挿入部材２４が収容される収容部１５に、この収容部１５に挿入部材２４が収容された場合に挿入部材２４に印字された通知情報２１の一部が視認可能となる穴部１３を形成する。【選択図】図１
2006103257.tif 000002
【特許請求の範囲】
【請求項１】
連接した２つの紙片が折り部を介して折り畳み可能に構成された情報担持体であって、
前記２つの紙片はそれぞれ複数の層からなり、
前記折り部を介して折り畳まれた際に内側となり、少なくとも１層からなる第１の内側層には、一部に切り込みが形成されているとともに、該切り込みを挿入口として形成される収容部に、前記第１の内側層下に積層された第１の下位層が視認可能となる穴部が形成され、
前記収容部に収容可能に構成され、通知情報が印字された挿入部材を有し、
前記穴部は、前記挿入部材が前記収容部に収容された場合に、該挿入部材に印字された通知情報の一部が視認可能となる領域に形成されている情報担持体。
【請求項２】
請求項１に記載の情報担持体において、
前記通知情報は、少なくとも前記挿入部材が前記収容部に収容された場合に前記穴部を介して視認可能となる情報が可変情報であることを特徴とする情報担持体。
【請求項３】
請求項１または請求項２に記載の情報担持体において、
前記挿入部材は、前記折り部を介して折り畳まれた際に内側となり、少なくとも１層からなる第２の内側層に切り離し可能に区画形成されていることを特徴とする情報担持体。
【請求項４】
請求項３に記載の情報担持体において、
前記第２の内側層下に積層された第２の下位層は、前記第２の内側層の前記挿入部材が区画形成された領域に対向する領域に可変情報が印字されていることを特徴とする情報担持体。
【発明の詳細な説明】
【技術分野】
【０００１】
本発明は、連接した２つの紙片が折り畳み可能に構成されてなる情報担持体に関する。
【背景技術】
【０００２】
従来より、情報を伝達する情報伝達媒体としては、葉書や封書等が用いられており、その中でも、近年においては、連接した２つの紙片が折り畳まれて互いに接着されることにより送付形態となる情報担持体が、構造が単純である上に伝達可能な情報量が多いことから様々な用途に用いられている。
【０００３】
図４は、連接した２つの紙片が折り畳まれて互いに接着されることにより送付形態となる一般的な情報担持体の構成例を示す図であり、（ａ）は２つの紙片が折り畳まれていない状態における情報伝達面を示す図、（ｂ）は２つの紙片が折り畳まれた状態における断面図である。
【０００４】
本構成例は図４（ａ）に示すように、２つの紙片１１０，１２０が折り部１３０を介して連接して構成されており、伝達すべき情報１１１が２つの紙片１１０，１２０に渡って印字されている。このように構成された情報担持体を送付する場合は、図４（ｂ）に示すように、情報１１１が印字された面が内側となるように２つの紙片１１０，１２０を折り部１３０を介して折り畳み、剥離可能な粘着剤１４０によってこれら紙片１１０，１２０を互いに接着することになる。このようにして送付形態とされた情報担持体は、送付先に送付された後、２つの紙片１１０，１２０が互いに剥離されることにより、紙片１１０，１２０に渡って印字された情報が情報担持体の送付先に伝達されることになる。
【０００５】
このような情報担持体においては、封筒を用いることなく葉書よりも多くの情報を伝達することができるが、紙片に印字された情報を伝達するだけのものであるため、２つの紙片１１０，１２０が剥離されることにより開封されたものの、紙片１１０，１２０に印字された情報が読まれることなく捨てられてしまう可能性が高い。
【０００６】
ここで、連接した２つの紙片が折り畳まれることによって構成され、この紙片の一部にペーパークラフトが区画形成された封筒が考えられている（例えば、特許文献１参照。）。この封筒を用いて情報を伝達した場合、封筒の送付先においては、内部に印字された情報を認識することができるとともに、ペーパークラフトを切り取って組み立てるという楽しみを得ることができる。そのため、封筒の送付先において、封筒が開封されたものの内部に印字された情報が読まれることなく捨てられてしまう可能性を低減することができる。
【特許文献１】特開２００４−１４９１６２号公報
【発明の開示】
【発明が解決しようとする課題】
【０００７】
しかしながら、上述したように、連接した２つの紙片が折り畳まれることによって構成され、この紙片の一部にペーパークラフトが区画形成された封筒においては、ペーパークラフトを利用する場合、ペーパークラフトを紙片から切り取って組み立てるという作業が生じるため、封筒の受取人がペーパークラフトにあまり興味を持っていない場合、封筒に対して好奇心を与えることができず、上記同様に、封筒が開封されたものの内部に印字された情報が読まれることなく捨てられてしまう虞れがある。
【０００８】
本発明は、上述したような従来の技術が有する問題点に鑑みてなされたものであって、好奇心を与えやすく、それにより、印字された情報が読まれることなく捨てられてしまう可能性を低減することができる情報担持体を提供することを目的とする。
【課題を解決するための手段】
【０００９】
上記目的を達成するために本発明は、
連接した２つの紙片が折り部を介して折り畳み可能に構成された情報担持体であって、
前記２つの紙片はそれぞれ複数の層からなり、
前記折り部を介して折り畳まれた際に内側となり、少なくとも１層からなる第１の内側層には、一部に切り込みが形成されているとともに、該切り込みを挿入口として形成される収容部に、前記第１の内側層下に積層された第１の下位層が視認可能となる穴部が形成され、
前記収容部に収容可能に構成され、通知情報が印字された挿入部材を有し、
前記穴部は、前記挿入部材が前記収容部に収容された場合に、該挿入部材に印字された通知情報の一部が視認可能となる領域に形成されている。
【００１０】
また、前記通知情報は、少なくとも前記挿入部材が前記収容部に収容された場合に前記穴部を介して視認可能となる情報が可変情報であることを特徴とする。
【００１１】
また、前記挿入部材は、前記折り部を介して折り畳まれた際に内側となり、少なくとも１層からなる第２の内側層に切り離し可能に区画形成されていることを特徴とする。
【００１２】
また、前記第２の内側層下に積層された第２の下位層は、前記第２の内側層の前記挿入部材が区画形成された領域に対向する領域に可変情報が印字されていることを特徴とする。
【００１３】
上記のように構成された本発明においては、折り畳まれた情報担持体が開かれた後、折り部を介して折り畳まれた際に内側となる第１の内側層に形成された切り込みから挿入部材が収容部に収容されると、挿入部材に印字された通知情報の一部が第１の内側層に形成された穴部から視認可能となる。
【００１４】
このように、折り畳まれた情報担持体を開いた後に挿入部材を収容部に収容するという簡単な作業を行うことにより、挿入部材に印字された通知情報の一部が穴部から視認可能となるという仕組みを用いて、例えば、穴部から視認可能となった情報に応じて特典を付与する等といったサービスを行えば、誰に対しても好奇心を与えやすくなる。
【発明の効果】
【００１５】
以上説明したように本発明においては、折り畳まれた情報担持体が開かれた後、折り部を介して折り畳まれた際に内側となる第１の内側層に形成された切り込みから挿入部材が収容部に収容されると、挿入部材に印字された通知情報の一部が第１の内側層に形成された穴部から視認可能となる構成としたため、例えば、穴部から視認可能となった情報に応じて特典を付与する等といったサービスを行えば、誰に対しても好奇心を与えやすくすることができ、情報が印字されている場合は、印字された情報が読まれることなく捨てられてしまう可能性を低減することができる。
【００１６】
また、通知情報のうち、少なくとも挿入部材が収容部に収容された場合に穴部を介して視認可能となる情報を可変情報としたものにおいては、例えば、情報担持体毎に当たり／はずれ等の情報の種類を変えたり、情報担持体毎に提供するサービスを異ならせたりすることができる。
【００１７】
また、挿入部材が、折り部を介して折り畳まれた際に内側となる第２の内側層に切り離し可能に区画形成されているものにおいては、挿入部材を２つの紙片とは別個に設けておく必要がなく、また、２つの紙片に対する情報の印字処理にて挿入部材に通知情報を印字することができる。
【００１８】
また、第２の内側層下に積層された第２の下位層のうち、第２の内側層の挿入部材が区画形成された領域に対向する領域に可変情報が印字されているものにおいては、第２の内側層から挿入部材が取り外された場合に、情報担持体の提供先に応じた広告情報等の可変情報を通知することができる。
【発明を実施するための最良の形態】
【００１９】
以下に、本発明の実施の形態について図面を参照して説明する。
【００２０】
図１は、本発明の情報担持体の実施の一形態を示す図であり、（ａ）は折り畳まれる際に内側となる面の構成を示す図、（ｂ）は（ａ）に示したＡ−Ａ’断面図である。
【００２１】
本形態は図１に示すように、２つの紙片１０，２０が折り部となるミシン目３０を介して連接して折り畳み可能に構成されており、この２つの紙片１０，２０は、ミシン目３０を介して折り畳まれた場合に内側となる内側層である内面層１と、外側となる下位層である外面層２とが積層されて粘着剤３ａ，３ｂによってその一部が互いに接着されて構成されている。また、内面層１上には、伝達すべき情報１１が２つの紙片１０，２０に渡って印字されており、その上に、再剥離可能な粘着剤３ｃが塗布されている。
【００２２】
また、内面層１のうち、紙片２０となる領域には、挿入部材２４がミシン目２２及びスリット２３によって切り離し可能に区画形成されており、この挿入部材２４には複数の通知情報２１が印字されている。また、挿入部材２４が形成された領域は、剥離可能な粘着剤３ｂによって内面層１と外面層２とが接着されており、それにより、挿入部材２４がミシン目２２及びスリット２３によって内面層１から切り離し可能に構成されている。
【００２３】
また、内面層１のうち、紙片１０となる領域には、その一部に切り込み１２が形成されるとともに、この切り込み１２を挿入口として挿入部材２４が挿入された場合にこの挿入部材２４に印字された通知情報２１の一部が視認可能となる複数の穴部１３が形成されている。そのため、紙片１０においては、切り込み１２を挿入口として挿入部材２４が挿入されていない場合、外面層２が穴部１３を介して視認可能となっている。また、切り込み１２を挿入口として挿入部材２４が挿入される領域は、粘着剤３ａが塗布されておらず、それにより、切り込み１２を挿入口として挿入された挿入部材２４が収容される収容部１５が形成されている。
【００２４】
また、紙片１０には、ミシン目３０を介して折り畳まれ、粘着剤３ｃによって紙片２０と接着された状態にて紙片２０からの剥離作業を容易に行うためにその角部の一部に切り欠き１４が形成されている。
【００２５】
以下に、上記のように構成された情報担持体の使用方法について説明する。
【００２６】
図２は、図１に示した情報担持体を送付する場合の送付形態を示す図であり、（ａ）はその表面を示す図、（ｂ）は（ａ）に示したＡ−Ａ’断面図である。
【００２７】
図１に示した情報担持体を送付する場合は、図２に示すように、２つの紙片１０，２０を内面層１が内側となるようにミシン目３０を介して折り畳み、内面層１に塗布された粘着剤３ｃによって紙片１０と紙片２０とを接着する。すると、外面層２のうち紙片１０となる領域に印字された宛先情報４０が外部から視認可能な状態となるとともに、内面層１に印字された情報１１や挿入部材２４が外部から視認不可能な状態となる。
【００２８】
この状態にて情報担持体が、宛先情報４０に従って情報担持体の送付先に送付されることになる。
【００２９】
図３は、図１に示した情報担持体が送付先にて開封された状態を示す図であり、（ａ）は挿入部材２４が紙片２０から切り離されていく様子を示す図、（ｂ）は紙片２０から切り離された挿入部材２４が切り込み１２を挿入口として収容部１５に収容された状態を示す図である。
【００３０】
図１に示した情報担持体が送付先に送付された後、紙片１０と紙片２０とが互いに剥離されて開封されると、内面層１に印字された情報１１や挿入部材２４が外部から視認可能な状態となる。この状態において、図３（ａ）に示すように、挿入部材２４をスリット２３を介して内面層１の紙片２０となる領域から切り離しはじめ、その後ミシン目２２を切断することにより内面層１の紙片２０となる領域から切り離すと、外面層２の挿入部材２４に対向する領域に印字された広告情報４１が視認可能な状態となる。この広告情報４１は、情報担持体の送付先に応じて可変とすることが考えられ、それにより、情報担持体の送付先に応じた広告情報４１を通知することができる。
【００３１】
その後、内面層１の紙片２０となる領域から切り離された挿入部材２４を、内面層１の紙片１０となる領域に形成された切り込み１２を挿入口として挿入し、紙片１０に形成された収容部１５に収容すると、図３（ｂ）に示すように、挿入部材２４に印字された複数の通知情報２１のうち一部の通知情報のみが内面層１の収容部１５に設けられた穴部１３を介して視認可能となる。このため、情報担持体の送付先に応じて、挿入部材２４に印字される通知情報を可変とし、穴部１３を介して視認可能となる通知情報の種類（当たり／はずれ等）やその数に応じて特典を付与する等のサービスを行うことが考えられ、そのようなサービスを行うことにより、この情報担持体に対する好奇心を与えることができる。例えば、図１及び図３に示すように、通知情報２１として、「☆」マークと「・」マークとを挿入部材２４にランダムに印字しておき、挿入部材２４が収容部１５に収容された場合に穴部１３から視認可能となる「☆」マークの数に応じた特典を付与すること等が考えられる。また、挿入部材２４に印字された通知情報２４を可変とするのではなく、内面層１の紙片１０となる領域に形成される穴部１３の位置を、情報担持体の送付先に応じて収容部１５内にて可変とすることも考えられ、その場合においても、穴部１３を介して視認可能となる通知情報の種類やその数に応じて特典を付与する等のサービスを行うことが考えられる。また、穴部１３の数は複数に限らず、穴部１３が１つしか形成されていない場合であっても、挿入部材２４に印字される通知情報２１を可変としたり、穴部１３の位置を可変としたりすることにより、情報担持体の送付先に応じて特典を付与する等のサービスを提供することができる。
【００３２】
上述したように本形態においては、紙片１０と紙片２０とを互いに剥離して開封した後、内面層１の紙片２０となる領域に区画形成された挿入部材２４を切り離し、この挿入部材２４を、内面層１の紙片１０となる領域に形成された切り込み１２を挿入口として挿入し、紙片１０に形成された収容部１５に収容することにより特典を付与する等のサービスを提供することができ、それにより、情報担持体の送付先に対して好奇心を与えることができる。
【００３３】
なお、本形態においては、内面層１と外面層２とのうち挿入部材２４が形成された領域が、剥離可能な粘着剤３ｂによって内面層１と外面層２とが接着されており、それにより、挿入部材２４がミシン目２２及びスリット２３によって内面層１の紙片２０となる領域から切り離し可能に構成されているが、挿入部材２４が形成された領域については、内面層１と外面層２とを接着しない構成とすることも考えられる。ただし、その場合、挿入部材２４の全周にミシン目やハーフスリットを形成し、このミシン目やハーフスリットによって、挿入部材２４が不用意に内面層１から脱落しないように区画形成しておくことが好ましい。また、内面層１と外面層２とをその周囲のみにて粘着剤３ａによって接着することも考えられる。また、内面層１と外面層２のうち挿入部材２４が形成された領域を剥離可能な粘着剤３ｂによって接着する場合、挿入部材２４が不用意に脱落しないために本形態のように挿入部材２４の周囲の一部をミシン目２２としておくことが好ましいが、挿入部材２４の全周をスリット２３としておくことも考えられる。また、内面層１の紙片２０となる領域に挿入部材２４を区画形成するのではなく、内面層１の紙片２０となる領域に挿入部材２４を剥離可能に接着したり、内面層１と外面層２から挿入部材２４を切り離し可能な完全型抜き形状に形成したりすることも考えられる。
【００３４】
また、本形態においては、折り部としてミシン目３０が形成されているが、本発明はこれに限らず、２つの紙片１０，２０が折り畳み可能となるようなものであれば折り線等であってもよい。
【００３５】
また、本形態においては、内面層１に剥離可能な粘着剤３ｃが塗布され、２つの紙片１０，２０がミシン目３０を介して折り畳まれた場合に、この粘着剤３ｃによって紙片１０，２０が互いに剥離可能に接着されているが、内面層１の周囲のみに剥離不可能な粘着剤を塗布しておき、この粘着剤によって２つの紙片１０，２０を互いに接着することも考えられる。その場合、粘着剤が塗布された領域の内側に、内面層１及び外面層２を貫通するミシン目を形成しておき、このミシン目を断裁することにより情報担持体を開封する構成とすることが考えられる。
【００３６】
また、本形態においては、２つの紙片１０，２０が、ミシン目３０を介して折り畳まれた場合に内側となる内面層１と、外側となる外面層２とが積層されて粘着剤３ａ，３ｂによってその一部が互いに接着されて構成されているが、本発明はこのような２層構造に限らず、切り込み１２及び穴部１３が形成されるとともに、挿入部材２４が切り離し可能に区画形成され、ミシン目３０を介して折り畳まれた場合に内側となる内側層と、この内側層とによって収容部１５を形成するための下位層とが積層された構成であればよく、内側層と下位層とがそれぞれ複数層から構成されていてもよい。また、切り込み１２及び穴部１３が形成された内側層と、挿入部材２４が切り離し可能に区画形成された内側層とを、その積層される層数を異ならせることも考えられる。例えば、切り込み１２及び穴部１３が形成された内側層を第１の内側層として２層構造とし、また、挿入部材２４が切り離し可能に区画形成された内側層を第２の内側層として１層構造とすることが考えられる。その場合、内側層下に積層される下位層についても、第１の内側層下に積層される第１の下位層と第２の内側層下に積層される第２の下位層とで層数が異なることになる。なお、上述した実施の形態においては、この第１の内側層と第２の内側層とが同一であり、また、第１の下位層と第２の下位層とが同一である場合を例に挙げて説明している。
【図面の簡単な説明】
【００３７】
【図１】本発明の情報担持体の実施の一形態を示す図であり、（ａ）は折り畳まれる際に内側となる面の構成を示す図、（ｂ）は（ａ）に示したＡ−Ａ’断面図である。
【図２】図１に示した情報担持体を送付する場合の送付形態を示す図であり、（ａ）はその表面を示す図、（ｂ）は（ａ）に示したＡ−Ａ’断面図である。
【図３】図１に示した情報担持体が送付先にて開封された状態を示す図であり、（ａ）は挿入部材が紙片から切り離されていく様子を示す図、（ｂ）は紙片から切り離された挿入部材が切り込みを挿入口として収容部に収容された状態を示す図である。
【図４】連接した２つの紙片が折り畳まれて互いに接着されることにより送付形態となる一般的な情報担持体の構成例を示す図であり、（ａ）は２つの紙片が折り畳まれていない状態における情報伝達面を示す図、（ｂ）は２つの紙片が折り畳まれた状態における断面図である。
【符号の説明】
【００３８】
１    内面層
２    外面層
３ａ〜３ｃ    粘着剤
１０，２０    紙片
１１    情報
１２    切り込み
１３    穴部
１４    切り欠き
１５    収容部
２１    通知情報
２２，３０    ミシン目
２３    スリット
２４    挿入部材
４０    宛先情報
４１    広告情報
【図１】
2006103257.tif 000003
【図２】
2006103257.tif 000004
【図３】
2006103257.tif 000005
【図４】
2006103257.tif 000006